(57)【要約】【課題】 玄関子機を使用して来訪者に対しても広告情報等の各種情報を提供可能とし、結果として来訪者が玄関子機の前に自然に立つようになるインターホンシステムを提供する。【解決手段】  居室親機２は、企業からアップロードされた広告を管理する管理サーバ３とインターネットＮを介して通信を実施し、広告をダウンロードして画像記憶部２６に記憶する。玄関子機１は広告を表示する子機モニタ１６を備える一方、子機モニタ１６に広告が表示され続けた時間をカウントする表示時間カウント部２７ａを居室親機２に設け、親機ＣＰＵ２７は玄関子機１から呼び出しが成されて居室親機２が応答操作されるまでの間、子機モニタ１６に広告を表示させ、表示時間カウント部２７ａがカウントした広告表示時間を管理サーバ３に送信する。【選択図】  図２
2012209864.tif 000002
【特許請求の範囲】
【請求項１】
来訪者が居住者を呼び出して通話するための玄関子機と、呼び出しを受けた居住者が来訪者と通話するための居室親機とを有し、前記居室親機が、通信ネットワークを介して外部に設置されて広告情報等の各種情報を蓄積した管理サーバと通信を可能としたインターホンシステムであって、
前記管理サーバが蓄積する前記広告情報は、企業等の広告主からアップロードされることで蓄積され、
前記玄関子機は前記広告情報を画像表示する子機モニタを有する一方、
前記居室親機は前記管理サーバが蓄積している前記広告情報をダウンロードするダウンロード手段と、ダウンロードした広告情報を記憶する広告情報記憶部と、前記広告情報を前記子機モニタに表示制御する制御手段とを有し、
前記制御手段は、前記玄関子機から呼び出しが成されて前記居室親機が応答操作されるまでの間、及び／又は前記居室親機で応答操作が行われてから終話するまでの間、前記子機モニタに前記広告情報の表示を実施することを特徴とするインターホンシステム。
【請求項２】
前記居室親機は、前記子機モニタに広告情報が表示され続けた時間をカウントする表示時間カウント手段と、前記表示時間カウント手段のカウント時間を基に所定の換算表に従ってポイント数を換算するポイント換算手段と、換算したポイント数を前記管理サーバにアップロードするアップロード手段とを有し、
前記管理サーバは、アップロードされたポイント数を管理し、前記広告主に対して定期的に管理しているポイント数を通知するポイント通知手段とを備えたことを特徴とする請求項１記載のインターホンシステム。
【発明の詳細な説明】
【技術分野】
【０００１】
本発明は玄関子機と居室親機を備えたインターホンシステムに関し、詳しくは玄関子機に広告等の情報を表示するモニタを設けたインターホンシステムに関する。
【背景技術】
【０００２】
広告情報等や地域情報を閲覧できるインターホンシステムが従来より提案されている。例えば特許文献１では、インターホンシステムをモデム等を介してインターネットに接続すると共に各種情報を保存するサーバを設け、居室親機としての住宅情報盤を操作して各種情報を閲覧できる構成が開示されている。
また特許文献２では、玄関子機に無線受信機能を設けて、別途携帯型の情報送信端末を近づけて情報を送信し、玄関子機が受信した情報を居室親機で閲覧できる構成が記載されている。
【先行技術文献】
【特許文献】
【０００３】
【特許文献１】特開２００４−１２８６２４号公報
【特許文献２】特開２００７−２０８５０７号公報
【発明の概要】
【発明が解決しようとする課題】
【０００４】
しかしながら、上記従来のインターホンシステムは、いずれも居住者に対して情報を提供するものであり、来訪者はその情報を見ることができなかった。
ところで、インターホンの玄関子機等を操作して居住者の呼び出しを行った来訪者は、居住者が応答するまでの間はすることがない。そのため、玄関子機から離れたり周辺をうろついたりしてしまう状況が生じている。また、居住者と通話中においても、玄関子機の正面に立たなくても通話ができるため、玄関子機の正面に立たず、横の方へ外れて通話する場合があった。
その結果、玄関子機にカメラを設けて来訪者を居室親機に設けたモニタで確認できるシステムが普及しているが、せっかく設けたカメラの撮像範囲から来訪者が外れてしまい、居住者が来訪者を確認できず、対応に苦慮する場合があった。
【０００５】
そこで、本発明はこのような問題点に鑑み、玄関子機を使用して来訪者に対しても広告情報等の各種情報を提供可能とし、結果として来訪者が玄関子機の前に自然に立つようになるインターホンシステムを提供することを目的としている。
【課題を解決するための手段】
【０００６】
上記課題を解決する為に、請求項１の発明は、来訪者が居住者を呼び出して通話するための玄関子機と、呼び出しを受けた居住者が来訪者と通話するための居室親機とを有し、居室親機が、通信ネットワークを介して外部に設置されて広告情報等の各種情報を蓄積した管理サーバと通信を可能としたインターホンシステムであって、管理サーバが蓄積する広告情報は、企業等の広告主からアップロードされることで蓄積され、玄関子機は広告情報を画像表示する子機モニタを有する一方、居室親機は管理サーバが蓄積している広告情報をダウンロードするダウンロード手段と、ダウンロードした広告情報を記憶する広告情報記憶部と、広告情報を子機モニタに表示制御する制御手段とを有し、制御手段は、玄関子機から呼び出しが成されて居室親機が応答操作されるまでの間、及び／又は居室親機で応答操作が行われてから終話するまでの間、子機モニタに広告情報の表示を実施することを特徴とする。
この構成によれば、呼出操作された玄関子機は、呼出中の待ち時間や通話中に子機モニタに広告情報を表示するので、来訪者が表示された広告に興味を持つことで玄関子機に接近するようになる。その結果、来訪者を映像で確認できるよう構成された居室親機を備えている場合は、居住者は来訪者を確認し易くなり、セキュリティが向上する。また、広告主は宣伝効果を見込める。
【０００７】
請求項２の発明は、請求項１に記載の構成において、居室親機は、子機モニタに広告情報が表示され続けた時間をカウントする表示時間カウント手段と、表示時間カウント手段のカウント時間を基に所定の換算表に従ってポイント数を換算するポイント換算手段と、換算したポイント数を管理サーバにアップロードするアップロード手段とを有し、管理サーバは、アップロードされたポイント数を管理し、広告主に対して定期的に管理しているポイント数を通知するポイント通知手段とを備えたことを特徴とする。
この構成によれば、表示された時間に応じてポイント数を換算して広告主に通知するため、居住者は企業等から広告の表示時間に応じた広告料収入を期待できる。
【発明の効果】
【０００８】
本発明によれば、呼出操作された玄関子機は、呼出中の待ち時間や通話中に子機モニタに広告情報を表示するので、来訪者が表示された広告に興味を持つことで玄関子機に接近するようになる。その結果、来訪者を映像で確認できるよう構成された居室親機を備えている場合は、居住者は来訪者を確認し易くなり、セキュリティが向上する。また、広告主は宣伝効果を見込める。
【図面の簡単な説明】
【０００９】
【図１】本発明に係るインターホンシステムの一例を示す構成図である。
【図２】図１の玄関子機と居室親機との回路ブロック図である。
【発明を実施するための形態】
【００１０】
以下、本発明を具体化した実施の形態を、図面を参照して詳細に説明する。図１は本発明に係るインターホンシステム全体を示す構成図であり、１は玄関に設置されて来訪者が居住者を呼び出して通話するための玄関子機、２は住戸内に設置されて玄関子機１からの呼び出しに応答するための居室親機であり、両者は伝送線Ｌ１を介して接続されている。
【００１１】
そして、居室親機２はインターネットＮを介して広告情報を管理する管理サーバ３と通信を実施でき、管理サーバ３は更にインターネットＮを介して各企業Ｃ１，Ｃ２，・・，Ｃｎの図示しないパーソナルコンピュータ等の登録手段と通信が可能となっている。尚、Ｐは管理サーバ３を管理する管理会社を示している。また、３ａは管理サーバ３全体を制御するサーバＣＰＵを示している。
【００１２】
図２は玄関子機１と居室親機２の回路ブロックを示している。この図２に示すように、玄関子機１は、来訪者が居住者を呼び出すための呼出ボタン１１、来訪者が居住者と通話するためのマイク１２及びスピーカ１３、来訪者を撮像するための子機カメラ１４、子機カメラ１４で撮像した映像を居室親機２に送信するために信号処理する映像処理部１５、広告情報を表示するためのＬＣＤから成る子機モニタ１６、子機モニタ１６に表示する画像を生成する画像処理部１７、玄関子機１の各部を制御する子機ＣＰＵ１８、居室親機２と通信するための子機ＩＦ１９等を備えている。
【００１３】
居室親機２は、玄関子機１からの呼び出しに応答する際操作したり、子機モニタ１６に表示する広告情報のダウンロードや設定等を行う行うタッチパネルから成る操作部２１、居住者が来訪者と通話するためのマイク２２及びスピーカ２３、子機カメラ１４で撮像した映像を出画するための親機モニタ２４、親機モニタ２４に表示する映像を生成する映像処理部２５、ダウンロードした複数の広告情報を下記のように分類分けして記憶する画像記憶部２６、居室親機２の各部を制御するための親機ＣＰＵ２７、玄関子機１と通信するための親機第１ＩＦ２８、管理サーバ３と通信するための親機第２ＩＦ２９等を備えている。
尚、２ａはハンドセットであり、居室親機２はハンドセット通話とマイク２２及びスピーカ２３を使用したハンズフリー通話の双方が可能となっている。
【００１４】
親機ＣＰＵ２７は、具体的に居室親機２全体を制御する機能に加えて、玄関子機１の子機モニタ１４に表示する広告情報の表示を制御する機能を有し、表示した広告の表示時間を計時して図示しない記憶部に記憶する表示時間カウント部２７ａ、子機カメラ１４が撮像した来訪者の顔画像から性別や年齢を認識する顔認識部２７ｂ、そして表示時間に応じてポイントに換算するポイント換算部２７ｃを備えている。
【００１５】
顔認識部２７ｂは、公知の顔画像認証ソフトウェアを親機ＣＰＵ２７にインストールして構成され、子機カメラ１４が撮像した画像から性別及び年齢を推定する。
また、ダウンロードして画像記憶部２６に記憶される広告情報は、管理サーバ３に蓄積される時点で性別や年齢層で分類されており、この分類情報が添付された状態で記憶される。尚、この分類情報は、通常広告主が設定して管理サーバ３にアップロードする段階で広告情報に添付される。
ポイント換算部２７ｃは換算表を記憶しており、表示時間をポイントに変換して図示しない記憶部に記憶する。
【００１６】
このように構成されたインターホンシステムについて、以下動作を説明する。まず、子機モニタ１６で表示する広告情報の設定について説明する。
各企業Ｃ１，Ｃ２，・・，Ｃｎにより、作成した映像、画像等の広告情報が登録手段からインターネットＮを介して管理サーバ３にアップロードされ、管理サーバ３はアップロードされた広告情報を企業ごとに付与されている企業ＩＤとともに保存する。
上述した玄関子機１及び居室親機２が取り付けられた住戸の居住者が、居室親機２の操作部２１を操作して管理サーバ３にアクセスし、管理サーバ３に蓄積されている広告情報から所望の広告情報がダウンロードされると、画像記憶部２６にダウンロードした広告情報が記憶される。引き続き、居住者により画像記憶部２６に蓄積された広告情報から、どの情報を玄関子機１に送信するかが設定される。この設定も操作部２１を操作することで行われ、１つ或いは複数が選択される。こうして子機モニタ１６での広告情報の表示が可能となる。
【００１７】
次に、呼び出しがなされた場合の動作を説明する。但し、ここでは呼出動作中の時のみ、具体的には呼出操作を受けてから居住者による応答操作が成されるまでの間のみ、広告情報が子機モニタ１６において表示される動作を説明する。
来訪者が居住者を呼び出すために呼出ボタン１１を押下すると、呼出信号が子機ＣＰＵ１８の制御により子機ＩＦ１９を介して居室親機２に送信される。居室親機２は、親機ＩＦ２８を介して親機ＣＰＵ２７でこれを受信し、スピーカ２３から呼出音を鳴動する。
また、呼出操作を受けて玄関子機１の子機カメラ１４が撮像を開始し、来訪者を撮像した映像が映像処理部１５を介して居室親機２に送信される。居室親機２では親機ＣＰＵ２７の制御により、送信された映像が映像処理部２５を介して親機モニタ２４に表示される。同時に、子機ＣＰＵ１８は画像処理部１７及び子機モニタ１６を起動して待受状態とする。
【００１８】
一方、呼出信号を受信した親機ＣＰＵ２７は、表示時間カウント部２７ａをスタートさせる。そして顔認識部２７ｂにより子機カメラ１４が撮像した来訪者の顔画像情報から、来訪者の性別及び年齢を推定する。
こうして推定した性別情報及び年齢情報を基に、画像記憶部２６から予め設定された広告情報の中から、広告の分類が推定した性別や年齢に合致した画像（或いは映像）を読み出して呼出信号と逆の経路で玄関子機１に送信する。この広告情報を受信した子機ＣＰＵ１８は、画像処理部１７を制御して子機ＩＦ１９から画像処理部１７へ伝送された広告情報を画像処理させる。こうして子機モニタ１６に表示可能な画像に処理された広告画像は、子機モニタ１６に表示される。
例えば、顔認識部２７ｂが来訪者を２０代の女性と推定したら、画像記憶部２６が記憶している広告情報の中から旅行関係の情報が選択されて表示されるし、３０代の男性であると判断したらスーツの広告が表示される。また、高齢の女性であると判断したら、近所の方と推定して近くのスーパーの安売り情報等が表示される。
【００１９】
その後、居室親機２の呼出音を認識した居住者が、応答するために操作部２１の所定の応答操作を行うと、玄関子機１と居室親機２の間で通話路が形成されて来訪者と居住者とで通話が可能となる。同時に親機ＣＰＵ２７は、表示時間カウント部２７ａのカウントを終了させると共に、子機モニタ１６での広告情報の表示を終了させる。
こうして形成された通話路により通話が行われた後、所定の終話操作が行われたら形成された通話路は切断される。
【００２０】
なお、呼出時間は図示しない呼出時間計時部がカウントしており、例えば４５秒と上限が設定され、呼出開始から４５秒経っても居住者が応答しない場合には、カウントを終了して親機ＣＰＵ２７が呼び出しを終了して待受け状態に移行させる制御を行なう。
そのため、呼出時の表示時間カウント部２７ａのカウント時間は、この呼出時間計時部のカウントと一致し、呼出時間のみ広告画像を表示させる場合はこの呼出時間計時部を表示時間カウント部と兼用させても良い。
【００２１】
こうして広告表示時間がカウントされ、カウント時間が例えば１１秒で居室親機２が応答操作されたら、ポイント換算部２７ｃは１１秒をポイント数に換算して記憶する。また、この広告表示時間情報及びポイント数情報は、親機ＣＰＵ２７の制御により企業ＩＤ、住戸ＩＤと共に管理サーバ３にアップロードされ、管理サーバ３に記憶される。こうしてアップロードされたポイント数情報は、管理サーバＣＰＵ３ａが例えば１ヶ月単位で集計し、その合計ポイントが各企業Ｃ１，Ｃ２，・・，Ｃｎに通知される。
【００２２】
このように、呼出操作された玄関子機１は、呼出中の待ち時間や通話中に子機モニタ１６に広告情報を表示するので、来訪者が表示された広告に興味を持つことで玄関子機１に接近するようになる。その結果、来訪者を映像で確認できるよう構成された居室親機２を備えている場合は、居住者は来訪者を確認し易くなり、セキュリティが向上する。また、広告主は宣伝効果を見込める。
また、表示された時間に応じてポイントを換算して広告主に通知するため、インターホンシステムを所有する居住者や管理サーバの管理者は、企業等からから広告の表示時間に応じた広告料収入を期待できる。
更に、来訪者の性別や年齢を推定して表示する広告が選択されるので、来訪者に興味を持たせることができ、高い広告効果が期待できる。
【００２３】
以上説明したように、呼出中の間のみ広告情報を玄関子機１に表示するだけでも大きな効果を奏するが、引き続き通話中も表示を継続して良いし、通話中の時のみ表示させても良い。呼出操作を受けてから通話が終了するまで広告情報を表示させる場合は、上述したように呼出操作を受けてカウントを開始し、終話操作が成されたらカウントを終了して、その間広告情報を表示させればよい。
また、通話中のみに広告情報を表示する動作は、居室親機２の応答操作を受けて表示時間カウント部２７ａのカウントをスタートさせ、終話操作を受けたらカウントを終了し、その間広告情報を表示させれば良い。
このように、呼出開始から終話操作されるまでの間、或いは通話中のみ広告情報を表示しても良く、呼出時のみの表示に対して長時間表示されることができるし、通話中も来訪者の興味を引きつけることができ、通話中も来訪者の顔を確認し易い。
【００２４】
尚、これらの広告表示は、集合住宅におけるエントランス等に設置される集合玄関機と各住戸に設置される住戸親機とを上記玄関子機１と居室親機２のように構成することで、同様に実施させることができ。また、企業広告を表示する場合を説明したが、例えば地域情報を管理サーバに蓄積させ、その情報をダウンロードして表示しても良く、同様に来訪者の興味を引きつけることが可能である。
また、子機カメラ１４及び親機モニタ２４を持たないインターホンであっても子機モニタ１６を設けて広告情報を玄関子機に表示させることで広告効果を期待でき、新たな広告媒体として玄関子機を利用できる。
【符号の説明】
【００２５】
１・・玄関子機、２・・居室親機、３・・管理サーバ、３ａ・・サーバＣＰＵ（ポイント通知手段）、１１・・呼出ボタン、１４・・子機カメラ、１６・・子機モニタ、１８・・子機ＣＰＵ、２１・・操作部、２４・・親機モニタ、２６・・画像記憶部（広告情報記憶部）、２７・・親機ＣＰＵ（ダウンロード手段、アップロード手段、制御手段）、２７ａ・・表示時間カウント部（表示時間カウント手段）、２７ｃ・・ポイント換算部（ポイント換算手段）、２９・・親機第２ＩＦ。
【図１】
2012209864.tif 000003
【図２】
2012209864.tif 000004